(57)【要約】適応型タニケット・カフ・システムは、物理的な特徴を有するタニケット・カフと、該カフに取り付けられたカフ・コネクタと、同定用カラー（ｉｄｅｎｔｉｆｙｉｎｇ  ｃｏｌｌａｒ）とを含み、前記タニケット・カフは選択された場所での肢（ｌｉｍｂ）の周長より長い膨張可能な貯気槽（ｂｌａｄｄｅｒ）を含み、前記カフ・コネクタは、タニケット装置（ｔｏｕｒｎｉｑｕｅｔ  ｉｎｓｔｒｕｍｅｎｔ）と着脱可能に接続されて前記貯気槽と前記タニケット装置との間に気密通路を確立するために、前記貯気槽と気密に連絡し、前記同定用カラーは、前記物理的特徴を表示する同定手段であって、前記気密通路が確立される際に前記タニケット装置によって検出可能な同定手段を含む。前記タニケット装置は、前記選択された場所にある前記カフより遠位側の肢への動脈血流を停止させるのに十分な圧力のガスを前記気密通路を通じて前記貯気槽に供給する場合があり、検出された前記カフの物理的特徴に応じてタニケット装置の動作を適応させる場合がある。
2006516426.tif 000002
【特許請求の範囲】
【請求項１】
タニケット・カフと、該カフに取り付けられたカフ・コネクタとを含む、適応型タニケット・カフ・システムであって、
前記タニケット・カフは、カフの形状と、カフの幅寸法と、カフの長さ寸法と、膨張可能な貯気槽とを含む所定の複数の物理的特徴を有し、前記カフの長さ寸法は選択された場所での肢の周長よりも長く、前記貯気槽はサイズ寸法を有し、
前記カフ・コネクタは、タニケット装置と着脱可能に接続して前記貯気槽とタニケット装置との間に気密通路を確立するために、前記貯気槽と気密に連絡し、
前記カフ・コネクタは、前記カフの複数の所定の物理的特徴のうちの１つの所定の物理的特徴を示す同定手段であって、前記気密通路が確立すると前記タニケット装置によって検出可能な同定手段を含む、適応型タニケット・カフ・システム。
【請求項２】
前記同定手段は前記カフ・コネクタのカラーを含む、請求項１に記載の適応型タニケット・カフ・システム。
【請求項３】
安全および動作上の複数のパラメータ設定にしたがって、最大圧力レベル以下の最大圧力のガスを前記気密通路を通じて前記貯気槽に供給するための手段を含むタニケット装置を含む、請求項１に記載の適応型タニケット・カフ・システム。
【請求項４】
前記タニケット装置は、前記カフの検出された所定の物理的特徴を示す信号を発生する、請求項３に記載の適応型タニケット・カフ・システム。
【請求項５】
前記タニケット装置は、前記カフの検出された物理的特徴に応じて、安全および動作上の複数のパラメータのうちの１つの設定に適応する、請求項３に記載の適応型タニケット・カフ・システム。
【請求項６】
前記タニケット装置は、前記検出された物理的特徴に応じて、最大圧力レベルに適応する、請求項３に記載の適応型タニケット・カフ・システム。
【請求項７】
前記コネクタおよびカラーは一体化され、電気的絶縁材料で全体が形成される、請求項２に記載の適応型タニケット・カフ・システム。
【請求項８】
前記同定手段は前記カラーの選択された色である、請求項２に記載の適応型タニケット・カフ・システム。
【請求項９】
前記カラーは、周辺光が前記同定手段を照射することを阻止するように適応されたフランジ部を含む、請求項２に記載の適応型タニケット・カフ・システム。
【請求項１０】
前記所定の物理的特徴は前記カフの長さ寸法である、請求項１に記載の適応型タニケット・カフ・システム。
【請求項１１】
前記所定の物理的特徴は前記膨張可能な貯気槽のサイズ寸法である、請求項１に記載の適応型タニケット・カフ・システム。
【請求項１２】
無菌タニケット・カフと、該カフに取り付けられたカフ・コネクタとを含む、適応型タニケット・カフ・システムであって、
前記無菌タニケット・カフは、一定の形状と、一定の幅と、膨張可能な貯気槽と、前記カフの製造および滅菌の工程で形成された複数の所定の物理的特徴とを有し、
前記カフ・コネクタは、タニケット装置と着脱可能に接続して前記貯気槽とタニケット装置との間に気密通路を確立するために、前記貯気槽と気密に連絡し、
前記カフ・コネクタは、前記カフの複数の所定の物理的特徴のうちの１つの所定の物理的特徴を示す同定手段であって、前記気密通路が確立すると前記タニケット装置によって検出可能な同定手段を含む、適応型タニケット・カフ・システム。
【請求項１３】
前記所定の物理的特徴は前記カフの滅菌処理を示す、請求項１２に記載の適応型タニケット・カフ・システム。
【請求項１４】
前記所定の物理的特徴は前記カフの製造工程で形成される複数の所定のパラメータの１つである、適応型タニケット・カフ・システム。
【請求項１５】
前記同定手段は所定の数の所定の色から選択される色であって、それぞれの色は所定の物理的特徴に対応し、
前記タニケット装置は前記選択された色を示す信号を発生する、請求項４に記載の適応型タニケット・カフ・システム。
【請求項１６】
タニケット・カフと、該カフに取り付けられたコネクタと、同定用カラーと、タニケット装置とを含む、適応型タニケット・カフ・システムであって、
前記タニケット・カフは選択された場所で肢を取り囲むのに十分な長さの膨張可能な貯気槽と、所定の物理的特徴とを有し、
前記コネクタは、前記カフをタニケット装置と着脱可能に接続して、前記貯気槽とタニケット装置との間に気密通路を確立するために、前記貯気槽と気密に連絡し、
前記同定用カラーは、前記所定の物理的特徴を示す同定手段であって、前記気密通路が確立されると前記タニケット装置によって検出可能な同定手段を含み、
前記コネクタによって確立した気密通路を通じて前記貯気槽に加圧ガスを供給するための前記タニケット装置は、前記物理的特徴を示す信号を発生させるために前記同定手段に前記気密通路が確立した後で反応する検出手段を含む、適応型タニケット・カフ・システム。
【発明の詳細な説明】
【技術分野】
【０００１】
本発明は、物理的な特徴を有するタニケット・カフと、該カフに取り付けられたカフ・コネクタと、同定用カラー（ｉｄｅｎｔｉｆｙｉｎｇ  ｃｏｌｌａｒ）とを含み、前記タニケット・カフは選択された場所での肢（ｌｉｍｂ）の周長より長い膨張可能な貯気槽（ｂｌａｄｄｅｒ）を含み、前記カフ・コネクタは、タニケット装置（ｔｏｕｒｎｉｑｕｅｔ  ｉｎｓｔｒｕｍｅｎｔ）と着脱可能に接続されて前記貯気槽と前記タニケット装置との間に気密通路を確立するために、前記貯気槽と気密に連絡し、前記同定用カラーは、前記物理的特徴を表示する同定手段であって、前記気密通路が確立される際に前記タニケット装置によって検出可能な同定手段を含む、適応型タニケット・カフ・システムに関する。
【背景技術】
【０００２】
患者の肢（ｌｉｍｂ）への血流を閉塞するために膨張可能なタニケット・カフを使用して、外科手術を実施するのに適した時間、前記タニケット・カフより遠位側の前記肢の部分に無血手術野を提供することは、外科医療では周知である。タニケットシステムは、選択された場所で肢を包囲するための膨張可能なカフと、該カフ内の圧力をほぼ選択された圧力に維持するためのタニケット装置（ｔｏｕｒｎｉｑｕｅｔ  ｉｎｓｔｒｕｍｅｎｔ）とを含むのが典型的である。かかる先行技術のタニケット装置は、加圧ガス源を含むか、加圧ガス源に接続されており、前記タニケット・カフに供給されるガス圧をほぼ前記選択された圧力に制御および維持する圧力調節機構を含むのが典型的である。
【０００３】
前記肢を包囲するとき、カフが該カフ自体に重なるように選択できて、圧力が前記肢の周面全体にかかることが担保されるように、さまざまなカフサイズが提供されるのが典型的である。カフは、異なるタイプの患者、肢の場所および外科手順で要求される、さまざまな形状、幅、材料、輪郭その他の物理的特徴で提供される。
【０００４】
前記カフの他の物理的特徴は、カフの製造者と、該製造者によって供給される際にカフが無菌状態であるか否かと、カフ内の膨張可能な貯気槽（ｂｌａｄｄｅｒ）またはチャンバーのサイズ、形状および最大可能体積（ｐｏｔｅｎｔｉａｌ  ｖｏｌｕｍｅ）と、カフの設計使用回数と、外科的使用および使用後の再処理から生じるかもしれないなんらかの物理的変化との場合がある。
【０００５】
先行技術の現代的なタニケット装置は、タニケット・カフの圧力調節と、ある種の危険な状態の検出とにデジタル電子技術を利用する。しかし、タニケット・カフ内での調節のためにタニケット装置で選択された圧力は、前記タニケット装置に接続されたカフのタイプまたはサイズに関係なく、手術スタッフによって恣意的に選ばれることがしばしばあった。もっと最近では、一部の手術スタッフは、特定の患者でカフの先の血流を安全に閉塞するのに要する最低圧力の外科医による推測にもとづいて、より低いタニケット圧を選択する。この最低安全圧力は、患者に設置された特定のタニケット・カフの物理的特徴を含む多数の変数によって影響を受けるので、（長さ、幅およびタイプのような）そのカフのある種の物理的特徴を同定する、便利で信頼できる自動的なタニケット装置の手段を提供することは、手術スタッフの関与する手作業か、前記カフに接続されたタニケット装置によって自動的にかのいずれかによって、最低安全圧力の推測値に適応するうえで有用である。例えば、幅の広いカフがタニケット装置に接続されていると同定される場合には、前記装置は、血流を効果的に停止しつつ圧力関連の傷害の可能性を低減するために、使用されたかもしれない恣意的な圧力設定値より低いタニケット圧設定値を選択するようにとの外科医への指示を表示することがあり、あるいは、前記タニケット装置がタニケット圧設定値をより低い圧力に自動的に適応させることもある。
【０００６】
前記タニケット装置に接続された特定のカフの自動的同定は、タニケット装置およびシステム全体の動作および安全上の重要なパラメータの設定の適応を可能にする。例えば、非常に小型の小児科用タニケット・カフがタニケット装置に接続されていると自動的に同定される場合には、最高許容タニケット圧設定が、システム全体の有効性に影響を与えることなくもっと低くて安全な最高レベルに適応され低減される。また、前記装置内の一部のアラームパラメータの設定は、前記装置に接続されたカフの自動的同定によって適応される。例えば、偽のアラーム信号の発生を防止しながら、前記装置が正常な最大時間内に前記カフを膨張または収縮させることが不可能な危険な事態のときに、安全アラーム信号を提供するために、カフ膨張およびカフ収縮のための前記装置内の最大許容タイムリミットが、接続された前記カフの膨張可能な部分のサイズとの対応関係として自動的に適応される場合がある。
【０００７】
前記タニケット装置に接続されたカフの具体的なサイズおよびタイプ、したがって、接続された前記カフの膨張可能な部分のサイズ、形状および膨張可能な体積の自動的同定に際し、タニケット圧の調節に重要な他のパラメータ設定は、圧力調節の精度および応答性を改善するために適応可能である。さらに、前記カフのタイプが接続されたタニケット装置によって自動的に同定可能な場合には、手術記録に必要なカフ関連データが自動的に生成され、在庫管理およびカフ使用状況（ｕｔｉｌｉｚａｔｉｏｎ）の目的のためにより容易に、かつ、より正確に記録が保存される場合がある。かかる記録は、より安全な外科用タニケットの使用のための実施ガイドラインを確立するのを助けるために、（使用圧力のような他のパラメータの記録と併用して）使用される場合もある。
【０００８】
カフおよびタニケット装置はさまざまな製造者によって製作され、現在のところユーザは、ある製造者によって製作されたタニケット装置を別の未知の製造者によって製作されたタニケット・カフに接続することができる。しかし、少なくとも１つの従来技術で知られたタニケット装置は、同じ製造者によって製作されつタニケット・カフとともに作動するように特別に設計される安全性および性能の高度な特徴を有する（例えばＭｃＥｗｅｎの特許文献１および２を参照せよ。）。かかるタニケット装置における安全および動作上の特徴は、未知の製造者由来のカフが前記タニケット装置に接続される場合には、機能しないか、あるいは予想されるように適切には機能しないかもしれない。したがって、セーフティ・ハザードを回避または最小にするため、そして、タニケット装置のユーザおよび製造者の潜在的な法的責任を最小限にするために、接続されたカフの製造者を自動的に同定し、これによって、重要な安全性パラメータ、作動パラメータおよびユーザへのメッセージおよび警告の設定に適応する能力を有するタニケット装置を有することは有用である。例えば、かかる装置が未知のカフのタイプが接続されていることを検出する場合には、前記装置は安全性および性能に関する一部の重要な機能が機能しないかもしれないとの警告をユーザに表示することができる。また、接続されたカフのタイプを自動的に同定する能力を有するタニケットシステムは、使用回数ごと、または、既知の同定可能なタイプの特定の数量のカフの購入と関連する、ユーザへの前記装置の販売またはリースを可能にする。さまざまな関連する機能が、接続されたカフは既知の製造者によって製作されたものであったか否かを自動的に同定する能力を有するタニケット装置によって実行可能な場合がある。例えば、未知の製造者由来の同定不能なカフがかかる装置に接続される場合には、該装置は動作しないようにプログラムすることもでき、代替的に、前記タニケット装置は、必要な手術を妨げたり遅らせたりしないために、できるだけ動作しつづけるが、同定不能なカフの使用を警告し、その事象を記録するようにプログラムすることもできる。
【特許文献１】米国特許第５，６４９，９５４号明細書
【特許文献２】米国特許第５，６８１，３３９号明細書
【０００９】
多くのタニケット・カフは、複数回の外科的手順で再使用されるように設計され、非滅菌状態で製造者から供給される。他のタニケット・カフは、（例えば、ＤｅＰｕｙ  Ｏｒｔｈｏｐａｅｄｉｃｓ  Ｉｎｃ．社によって販売される「Ｃｏｍｆｏｒｔｅｒ（商標）Ｄｉｓｐｏｓａｂｌｅ  Ｇｅｌ  Ｃｕｆｆ」と、オハイオ州ＤｏｖｅｒのＺｉｍｍｅｒ  Ｐａｔｉｅｎｔ  Ｃａｒｅによる「Ｚｉｍｍｅｒ  ＡＴＳ  Ｄｉｓｐｏｓａｂｌｅ  Ｔｏｕｒｎｉｑｕｅｔ  Ｃｕｆｆｓ」のように）１回だけ使用するように設計され、滅菌状態で供給される。これらのカフは、該カフが適用される領域で滅菌が要求され、患者の間での交差汚染を予防するために再使用が禁じられるときに使用される。かかる１回使用型滅菌カフは、（製造者によって実施される）特定の滅菌処理工程と、１回の外科的手順で遭遇する典型的な応力とに耐えるように設計される。２回以上の滅菌または処理は、滅菌の低下と、物理条件の悪化と、手術中に突然カフが故障する可能性とのような、危険な状態につながる場合がある。特に、滅菌中の高温または酸化エチレンガスへの曝露は、これらのカフの材料を劣化させる場合がある。これらのリスクにもかかわらず、ユーザが本来の製造者によって承認または試験されていない洗浄工程を用いて１回使用型滅菌カフを再生し再利用することを試みることはますます一般的になっている。例えば、１回使用型滅菌カフは、（該カフを高温高湿に曝す）低温殺菌（ｐａｓｔｅｕｒｉｚａｔｉｏｎ）処理を利用する少なくとも１つの会社によって日常的に再生され、「高レベル消毒」された状態、すなわち、製造者によって最初に供給されたときよりも清浄度の低い、非滅菌状態で前記ユーザに返却される。複数の他の会社は、酸化エチレンガス滅菌法を用いて１回使用型滅菌カフを日常的に再生して、カフを外科的な滅菌状態に戻す。（ガンマ線または電子線ビーム放射およびガスプラズマ処理のような、）他の滅菌方法も再生に利用することは考えられるが、酸化エチレンガスは、設備の入手可能性および小バッチサイズに適することのために、今のところ最も一般的で実用的な方法である。手術での使用後に滅菌カフを再生し再利用するかかる試みへの曝露がタニケット装置によって自動的に同定できる場合には、該タニケット装置は、ユーザに警告し、患者への危険の可能性を低減するために、さまざまな警告機能を起動させることによって適応することができる。タニケット装置が、接続されるカフは２回以上の再滅菌処理に供されていたかどうかを同定し、それによってタニケット・カフの動作を適応させることができるような、タニケット・カフは従来技術には知られていない。
【００１０】
多くの従来技術のタニケット・カフは、サイズをユーザに視覚によって表示するためにカラーコード化されている。例えば、ＤｅＰｕｙ  Ｏｒｔｈｏｐａｅｄｉｃｓ  Ｉｎｃ社によって販売される「Ｃｏｍｆｏｒｔｅｒ（商標）  Ｄｉｓｐｏｓａｂｌｅ  Ｇｅｌ  Ｃｕｆｆ」は、外側の包装ラベルにカフサイズに対応するカラードットがあるが、カフ自体にはカフサイズについての表示はない。（例えば、オハイオ州ＤｏｖｅｒのＺｉｍｍｅｒ  Ｐａｔｉｅｎｔ  Ｃａｒｅの「Ｚｉｍｍｅｒ  ＡＴＳ  Ｄｉｓｐｏｓａｂｌｅ  Ｔｏｕｒｎｉｑｕｅｔ  Ｃｕｆｆｓ」のような）複数の他のタイプのタニケット・カフは、カフサイズに対応する選択された色の材料でできている。これらの同定手段は、視覚だけによるものであって、カラーコード化の概要に詳しいユーザは解釈できる。タニケット装置との通信がカフと該装置との接続によって自動的に確立することはなく、前記装置は、該装置に接続されたカフのサイズおよびタイプに応じて動作および安全性の重要なパラメータ設定に自動的に適応させることは必ずしも可能ではない。
【００１１】
特許文献３では、ＭｃＥｗｅｎは、タニケット・カフの物理特性を遠隔的に同定し、該カフによって取り囲まれる肢の周長（ｃｉｒｃｕｍｆｅｒｅｎｃｅ）を遠隔的に決定するための電子的手段を平成タニケット・カフを説明している。カフのタイプの遠隔的同定を可能にするために、ＭｃＥｗｅｎの０１０カフは、カフ構造内に導電性の構成部分を含み、タニケット・カフとタニケット装置との間に気密接続とともに電気的な接続も必要とする。したがって、電力と、導電性経路とが、前記カフによって取り囲まれる患者の肢の近傍の前記カフ内に必然的に存在する。これは、複数の状況で患者を危険に曝す。また、タニケット・カフ内に電気的な構成部分を含むことは、かかるカフの製造のコストおよび複雑さを有意に増大させ、製造時および使用中の信頼性は低下する。ＭｃＥｗｅｎの０１０に説明される従来技術のタニケット・カフは、接続されたタニケット装置がカフによって取り巻かれた肢の周長を遠隔的に決定することを可能にする手段を含む。これは、遠隔的に同定されたカフと、前記カフによって取り囲まれる遠隔的に同定された前記肢の周長との物理的特徴の間の関係にもとづいて、タニケット圧設定を調整できるようにする。本発明の発明者の承知する他のいかなる従来技術のタニケットシステムも、カフについての情報が装置によって受信され、これに応答して前記装置の重要な安全および動作上のパラメータ設定が適応されるような、前記カフと装置との間の気密接続以外の接続を確立しない。さらに、ＭｃＥｗｅｎの０１０特許に記載の装置のコストおよび複雑さが有意に増大し、信頼性が低下したことに内在する基本的な問題が、ＭｃＥｗｅｎの０１０特許に記載されたような装置を取り込むいかなるタニケットシステムの商業的実現をも妨げてきた。
【特許文献３】米国特許第４，６０５，０１０号明細書
【発明の開示】
【発明が解決しようとする課題】
【００１２】
接続されたタニケット・カフの物理的特徴を自動的に同定し、これに応答して一部の安全および動作上のパラメータ設定を適応させるためのタニケット装置の設備を含む適応型タニケット・カフ・システムは従来技術には知られていない。
【課題を解決するための手段】
【００１３】
発明の概要
本発明は、物理的な特徴を有するタニケット・カフと、該カフに取り付けられたカフ・コネクタと、同定用カラーとを含み、前記タニケット・カフは選択された場所での肢の周長より長い膨張可能な貯気槽を含み、前記カフ・コネクタは、タニケット装置と着脱可能に接続されて前記貯気槽と前記タニケット装置との間に気密通路を確立するために、前記貯気槽と気密に連絡し、前記同定用カラーは、前記物理的特徴を表示する同定手段であって、前記気密通路が確立される際に前記タニケット装置によって検出可能な同定手段を含む、適応型タニケット・カフ・システムに関する。前記タニケット装置は、前記選択された場所での前記カフより遠位側の肢への動脈血流を停止するのに十分な圧力で前記気密通路を通じて前記貯気槽にガスを供給する場合があり、検出された前記カフの物理的特徴に応じてその動作を適応する場合がある。
【００１４】
本発明を実施するための方法および装置は以下に詳細に説明される。本発明のその他の利点および特徴は、本明細書の以下の部分および図面を検討すると明らかになるであろう。
【発明を実施するための最良の形態】
【００１５】
好ましい実施態様の詳細な説明
例示される具体的な実施態様は、網羅的であるとか、本発明を正確に開示されたとおりの形式に限定するとかの意図を有しない。前記実施態様は、本発明の原理と、その応用と、実用的な使用法とを説明して、他の当業者が本発明を利用できるようにするために、選択され、説明される。
【実施例１】
【００１６】
図１は、タニケット装置１２と、充填ライン・アッセンブリ１４と、カフ・セット１６とからなる本発明の好ましい実施態様を示す。充填ライン・アッセンブリ１４は、充填ライン・コネクタ２６と、カフ同定モデュール３２とを含む。カフ・セット１６は、サイズおよび形状の限界内で下肢に適用するのに適した物理的特徴を有する、賦形型（ｃｏｎｔｏｕｒ）腓用カフ５０と、異なるサイズおよび形状の限界内で大腿に適用するのに適した異なる物理的特徴を有する賦形型大腿用カフ５１とを含む。はっきりさせておくと、カフ５０およびカフ５１の物理的特徴は、サイズと、形状と、材料と、堅さとを含む。さらに、物理的特徴は、ラベルが製造者の視覚による同定を可能にするのと同じやり方で、タニケット装置によるカフ５０および５１の製造者の同定を可能にするように、予め定められる場合がある。同様に、物理的特徴は、処理工程インジケータラベルが滅菌のような所定の処理工程を施されたことを視覚的に同定できるのと同じやり方で、前記処理工程を施されたことを同定できるように予め定められている場合がある。以下に説明するとおり、カフ５０は、膨張可能な貯気槽部分を含み、加圧ガス源を前記貯気槽に連結できるように、ポート・マニホールド７６と、ホース７４と、カフ・コネクタ２０が恒久的に取り付けられている。カフ・セット１６は、例えば、類似のデザインで異なるサイズのカフ・と、小児科患者用に設計されたカフか、特定の製造者によって製作されたカフかの一揃いとを含む場合があり、前記システムとともに使うのに適当である。カフ・セット１６のそれぞれのカフは、カフ・コネクタ２０と、前記カフの明確な物理的特徴を（視覚的に）ユーザに表示し、以下に説明するとおり、装置１２にも同時に表示する、明確に彩色された同定用カラー２１とを有する。
【００１７】
前記システムが手術に使われるとき、カフ・セット１６からの少なくとも１個のカフは、手術部位の近位側の場所で、患者の肢１３の周りを覆う。カフ・コネクタ２０（ＤＳＭ２２０２、ミネソタ州、Ｓｔ．Ｐａｕｌ、Ｃｏｌｄｅｒ  Ｐｒｏｄｕｃｔｓ  Ｃｏｍｐａｎｙ）を充填ライン・コネクタ２６（ミネソタ州、Ｓｔ．Ｐａｕｌ、Ｃｏｌｄｅｒ  Ｐｒｏｄｕｃｔｓ  Ｃｏｍｐａｎｙ製のＰＭＣ１７−０２メス錠止コネクタの改良版の適当なコネクタ）と係合することによって充填ライン・アッセンブリ１４に接続されたカフ・セット１６からのカフ５０が図１に示される。図示された実施態様は、充填ライン・アッセンブリ１４が、（多くの現代のタニケットシステムで典型的なように）ユーザの要求するとおり、前記カフを膨張させ、圧力を感知および調節し、前記カフを収縮させる目的のために、装置１２からカフ５０への１本の気密通路を提供する。さらに本発明では、充填ライン・アッセンブリ１４は、充填ライン・コネクタ２６およびカフ同定モデュール３２の間で光を伝送する手段と、カフ同定モデュール３２および装置１２の間で電子信号を伝送する手段とを提供する。充填ライン・アッセンブリ１４は、清掃または交換のために装置１２から分離される場合があり、カフ同定モデュール３２は、装置１２への気密接続および電気接続の両方を行うための手段を取り込む。装置１２は、以下に説明され、図２および３に詳細が示される、カフ同定ディスプレイ１５を含む。本発明は、（ＭｃＥｗｅｎによって米国特許第４，４６９，０９９号明細書に説明されるとおり、現代的なタニケットの実施では典型的な）「デュアルポート型」システムにも同等に適するが、これは、前記カフ内の圧力を感知するための１本と、前記カフに加圧ガスを供給するための１本との２本の別々の気密接続を含む。デュアルポート型システムでは、カフ同定モデュール３２と、これに付随する光および電子信号の伝送手段とは、いずれかまたは両方の気密接続に取り込まれる場合がある。
【００１８】
図２は、（充填ライン・アッセンブリ１４を含む）カフ同定モデュール３２と、タニケット装置１２との間の接続配置を貫通する縦断面図である。カフ同定モデュール３２の本体はソケット・アッセンブリ１９の中に滑動して入り、ソケット・アッセンブリ１９はタニケット装置１２に強固に取り付けられている。事故によって切断されることを防ぐために、錠止タブ２３がソケット・アッセンブリ１９内のスロット２５と係合して、係合する際に、接続が完全であることをユーザに示す聴覚的に認識できるクリック音が発生する。錠止タブ２３は、矢印２７の方法に圧力を加えて、ソケット・アッセンブリ１９からカフ同定モデュール３２を引き抜くことによって解除できる。
【００１９】
充填ライン・アッセンブリ１４は、可撓性のポリウレタンでできたホース３６と、図１および３に示す充填ライン・コネクタ２６と、送りファイバー（ｓｅｎｄ  ｆｉｂｅｒ）２４および戻りファイバー（ｒｅｔｕｒｎ  ｆｉｂｅｒ）２８（両方ともカリフォルニア州、サンジエゴ、Ｍｏｒｉｔｅｘ  ＵＳＡ社の０．０３５”径プラスチック光ファイバーＧＲ  Ｆ３５００製）とでできている。送りファイバー２４および戻りファイバー２８は、ホース３６の内腔内に配置され、損傷から保護されている。好ましい実施態様では、ホース３６は、外形が０．２５インチ（０．６３５ｃｍ）で、内径が０．１３インチ（０．３３ｃｍ）である。ホース３６は気密コネクタ３３と接続されるが、気密コネクタ３３は、ソケット・アッセンブリ１９を介してタニケット装置１２に含まれる、加圧ガス源およびガス圧調節手段１８と着脱可能な気密接続をする。送りファイバー２４および戻りファイバー２８は、孔４０および４２を通って、加圧ガス源１８からホース３６の内腔へ、そして前記システムに取り付けられたカフの膨張可能な貯気槽への気密通路が維持されるように、結合されて配置される。送りファイバー２４の一方の端は、３色発光ダイオード（ＬＥＤ）２２（ＮＳＴＭ５１５ＡＳ、徳島、日亜工業）に光学的に連結され、戻りファイバー２８の一方の端は、フォトダイオード３０（ＴＳＬ２５７、テキサス州、Ｐｌａｎｏ、Ｔｅｘａｓ  Ａｄｖａｎｃｅｄ  Ｏｐｔｏｅｌｅｃｔｒｏｎｉｃ  Ｓｏｌｕｔｉｏｎｓ社）に光学的に連結されている。発光ダイオード２２およびフォトダイオード３０は、回路基板３４に含まれる他のハードウェアおよびソフトウェアによって制御される。
【００２０】
カフ同定モデュール３２は、タニケット装置１２に接続されたカフの物理的特徴をユーザに表示するために、電気コネクタ３５を介してタニケット装置１２およびカフ同定ディスプレイ１５（図１を参照せよ。）と通信する。カフ同定モデュール３２によって検出される前記システムに接続されたカフの物理的特徴に基づいて、タニケット装置１２のさまざまな機能が改変され、情報が記録されるように、電気コネクタ３５およびカフ同定ディスプレイ１５がタニケット装置１２の制御電子装置およびシステムへの通信経路を有することを当業者は理解するであろう。充填ライン・アッセンブリ１４と、カフ同定モデュール３２に含まれる付属ソフトウェアとは、ソケット・アッセンブリ１９に装備されるさまざまな異なるタニケット装置とともに機能するように容易に適応できる。
【００２１】
カラー発光ダイオードおよびフォトダイオードの進歩および進行中の小型化および集積化は、これらの素子が充填ライン・コネクタ２６内に容易に取り込まれることを可能にしていること、および、送りファイバー２４および戻りファイバー２８は導電体と置換されることは明らかであろう。かかる小型集積カラーＬＥＤおよびフォトダイオード反射型色センサーの現行の実施例の１つは、テキサス州、ＰｌａｎｏのＴｅｘａｓ  Ａｄｖａｎｃｅｄ  Ｏｐｔｏｅｌｅｃｔｒｏｎｉｃ  Ｓｏｌｕｔｉｏｎｓ社のＴＴＲＳ１７２２、ＴＲＳ１７５５およびＴＲＳ１７６６である。
【００２２】
充填ライン・アッセンブリへの気密接続および電気接続が同時に行われるように電気コネクタ３５をタニケット装置１２に取り込むことは、対応する充填ライン・アッセンブリを使用することにより、（例えばＭｃＥｗｅｎによって米国特許第４，６０５，０１０号明細書に説明されるような）電気的な同定手段を用いるタニケット・カフとともに作動するようにタニケット装置１２を容易に適応させることを可能にすることを当業者は理解するであろう。
【００２３】
図３および３ａは、カフ５０と充填ライン・アッセンブリ１４（図１を参照せよ。）との間の接続配置を示す。カフ・コネクタ２０はホース７４に恒久的に取り付けられ、ホース７４はカフ５０に恒久的に取り付けられている（図１を参照せよ。）。カフ・コネクタ２０および充填コネクタ２６は積極的な錠止設計であり、完全に係合するとき、聴覚的に認識できるクリック音が発生し、内腔の中心線の周りを互いに対して回転し、前記内腔の中心線に沿って張力が加えられるとき、気密通路を維持し、脱係合させるためには、前記内腔の中心線に実質的に垂直な解除力が必要である。特に、カフ・コネクタ２０のフランジ表面１１０は、充填ライン・コネクタ２６を起動し、フランジ表面１１０および充填コネクタ表面１１６の間のギャップ１１４（図３ａを参照せよ。）は、前記コネクタが完全に係合するとき、０．０３０インチ（０．０７６ｃｍ）が典型的である。コネクタ２０および２６のデザインはＭｃＥｗｅｎによって米国特許第５，６４９，９５４号明細書に説明されるコネクタに基づく。
【００２４】
（図４および４ａに詳細に示される）カラー２１は、ホース７４が配置されるとき、カフ・コネクタ２０のフランジ裏面１１８に押し当てて保持される。図４および４ａを参照して、カラー２１は、円盤部１２０と、フランジ部１２２とを含み、中央の孔１２４はホース７４の内径より大きいが、ホース７４の外径より小さい直径を有する。カラー２１は、その全体が、選択された色および不透明度の電気的絶縁性で不導体の材料でできており、前記色は前記カフの選択された物理的特徴に対応する。
【００２５】
図３および３ａを参照して、カラー２１の同定用面１２６は、カフ・コネクタおよび充填ライン・コネクタが完全に係合するとき、同定面１２６が充填ライン・コネクタの表面１１６と接触するように、カフ・コネクタ２０のフランジ表面１１０からオーバーラップ１２８だけ盛り上がって伸びる。オーバーラップ１２８はギャップ１１４より大きく、カラー２１の円盤部１２０は、前記コネクタが係合するときカラー２１の円盤部１２０が屈曲するように、選択された堅さを有し、前記コネクタが係合するとき、そして、使用中に遭遇するのが典型的な張力および屈曲力が前記コネクタの間に加えられるとき、同定面１２６および充填コネクタ表面１１６との間の接触を維持するスプリングとして働く。
【００２６】
本発明に適応するために、充填コネクタ２６は、充填コネクタ２６の外面から内部ボアへと伸びる充填コネクタ２６の孔１３０および１３２と、孔１３４および１３６とを有する。孔１３０、１３２、１３４および１３６は、送りファイバー２４および戻りファイバー２８に適合する直径を有し、前記ファイバーは、その端が充填コネクタ表面１１６から距離１３８（約０．０３０インチ（０．０７６ｃｍ））以内に位置するように、前記孔の中に接着される。充填コネクタ２６内での送りファイバー２４および戻りファイバー２８のこの物理的形状は、送りファイバー２４から発した光が同定用面１２６を照射して、同定用面１２６から反射した光が戻りファイバー２８によってタニケット装置１２に伝送されることを可能にする。孔１３０および１３２は、送りファイバー２８による反射光の回収を最適化するために、送りファイバー２４および戻りファイバー２８の光学特性によって決定される、角度１４０（２６度）をなすようにそれぞれ配置される。したがって、コネクタ２０および２６が完全に係合するとき、気密通路がカフ５０とタニケット装置１２との間に確立し、同時に、光がカラー２１とタニケット装置１２の間を伝送され、カフ５０が以下に説明されるように同定できる。前記コネクタが内腔の中心線の周りを互いに回転するか、あるいは、内腔の中心線に沿う張力が加えられる場合には、前記気密通路および光伝送経路の両方とも維持される。
【００２７】
上記のとおり説明された、円盤部１２０の選択された堅さと、同定用面１２６および充填コネクタ表面１１６との間の選択された干渉とによる接触の維持は、（例えば、使用中にコネクタ２０および２６が手術灯のビームの下に入ってしまう場合のように）強い周辺光による妨害および信号の飽和を最小限にとどめるのに役立つ。充填ライン・コネクタ２６の本体は、強い周辺光による妨害および信号の飽和を最小限にとどめるために不透明であることが好ましい。カラー２１は、カフ・コネクタ２０とカラー２１とが内腔の中心線の周りを充填ライン・コネクタ２６に対して回転するとき、前記カラーから反射した光が所定の限界内に収まり、大量生産された色付きカラーから反射した光も所定の許容限度内にするために、一定の色および不透明度を有するように製造される。
【００２８】
カラー２１の色および特性が同定されるべき物理的特徴に応じて選択されることを当業者は理解するであろう。例えば、カフの製造者のみが同定される必要がある場合には、カフ・セット１６のうちの全てのカフのカラー２１が同じ色を有するであろう。カフ・セット１６のうちの異なるサイズおよびタイプのカフが同定される必要がある場合には、それぞれの別個のサイズおよびタイプのカラー２１が特定の色を有するであろう。酸化エチレン（ＥＯ）滅菌のような選択された処理に曝露されたことが同定されなければならない場合には、カラー２１は変色することによって前記選択された処理に反応する活性指示化合物で、同定用面１２６をコーティングされるかもしれない。例えば、同定用面１２６は、赤色で、製造者による包装と、ガンマ線放射または電子線ビーム滅菌と、使用中との期間を通して安定な酸化エチレン滅菌指示インク（Ｔｅｍｐｉｌ  Ｉｎｃ．社、ニュージャージー州、Ｓｏｕｔｈ  Ｐｌａｉｎｆｉｅｌｄ）でコーティングされる場合がある。その後に酸化エチレン滅菌処理に曝されると、同定用面１２６は茶色に変色する。代替策として、同定用面１２６は（例えばＳｔｅｒｉ−Ｄｏｔ  ＃３６１００１、Ｐｒｏｐｐｅｒ  Ｍａｎｕｆａｃｔｕｒｉｎｇ  Ｃｏｍｐａｎｙ、ニューヨーク州、Ｌｏｎｇ  Ｉｓｌａｎｄ  Ｃｉｔｙ）粘着性フィルムのような指示インクを含む別の材料を適用することによって作成されるか、あるいは、酸化エチレン曝露の化学的指示剤の開発は継続しているので、カラー２１を作成するために用いられる材料に前記指示化合物を含むことによって作成される場合があることは当業者に理解されるであろう。
【００２９】
製造が容易なためにカラー２１はカフ・コネクタ２０の中に一体化される場合があることも理解されるであろうが、その場合には、一体型カラーおよびコネクタは、同定を要するそれぞれの物理的特徴ごとに選択された色および不透明度を有する非導電性材料で作られる場合がある。前記カフおよびタニケット装置の間の気密な連絡と、前記カフおよびタニケット装置の間で光を伝送するための手段とを確立する、その他のコネクタ配置が可能であることも理解されるであろう。例えば、送りファイバー２４および戻りファイバー２８は、（カラー２１が透明な材料でできている場合には）上記で説明したようにカラー２１から反射するよりも、むしろ光がカラー２１を透過するように配置される場合がある。また、（発明の背景の項で説明したように）２本の別個のガス通路と、図３および３ａに示すように選択された通路に適用された送りファイバー２４および戻りファイバー２８か、あるいは、図３および３ａに示すとおり核通路に適用された１対の送りファイバーおよび戻りファイバーかとを有する１本のコネクタを含むデュアルポートタニケットシステム用に本発明が適応される場合がある。
【００３０】
カラー２１は、気密接続手段を妨害または改造することなく、前記カフを同定する手段を提供するため、本発明は、本実施態様に示される特定のタイプ以外のさまざまな他のタイプの気密コネクタに適用される場合があることも理解されるであろう。
【００３１】
図１、２および３を参照して、カフ同定モデュール３２は、同定用カラー２１の色によって表示された、タニケット装置１２に接続されたカフのタイプを決定するために、以下に説明するように作動する。カフ同定モデュール３２は、タニケット装置１２に接続されたカフのタイプを表示するために、カフ同定ディスプレイ１５およびタニケット装置１２内の他の構成部分と連絡する。タニケット装置１２のスイッチが入ると、カフ同定モデュール３２が活性化される。動作中、カフ同定モデュール３２はＬＥＤ２２を活性化して、（例えば、異なる色の間に１．５ミリ秒の間隔を置いて、それぞれの色の０．５ミリ秒のパルスを発光するように）連続した一連の赤色、緑色および青色の光のパルスを次々に発する。ＬＥＤ２２からの発光出力は光学的に送りファイバー２４に連結され、コネクタ２６に伝送される。ＬＥＤ２２によって生成する光パルスは、コネクタ２６内で送りファイバー２４から発光され、カフ・コネクタ２０が充填ライン・コネクタ２６に係合して、気密通路がカフ５０とタニケット装置１２との間で確立するとき、同定用カラー２１を照射する。
【００３２】
同定用カラー２１から反射した光がフォトダイオード３０に伝送できるように、戻りファイバー２８の一方の端はフォトダイオード３０と光学的に連結され、他方の端はコネクタ２６の中で終わる。同定用カラー２１が存在しないとき、周辺光がフォトダイオード３０に伝送される。
【００３３】
カフ同定モデュール３２は、フォトダイオード３０によって検出される光の強度レベルを監視する。赤色、緑色および青色の光がＬＥＤ２２から発光される時点およびＬＥＤ２２が作動しない時点で検出された強度レベルを記録することによって、カフ同定モデュール３２は同定用カラー２１から反射した赤色、緑色および青色の光の相対強度と、ＬＥＤ２２が作動しないときに検出された周辺光の強度とを計算できる。ＬＥＤ２２が作動しないときに検出された周辺光の強度が、カフ同定モデュール３２によって、周辺光照明条件のばらつきを補償し、フォトダイオード３０の完全な飽和のようなエラー状態を検出するために用いられる。同定用カラー２１によって反射された赤色、緑色および青色の光の計算された相対強度は、カフ同定モデュール３２によってカフ同定モデュール３２内に保存され、カフ・セット１６のそれぞれのカフに対応する、相対強度の所定の範囲と比較される。（例えば５回の連続した一連の赤色、緑色および青色の光のパルスのような）所定の数の反射光パルスが全てそのカフのタイプに適合する所定の範囲内にあるとき、カフのタイプが決定される。いったん同定されると、カフのタイプおよび／または関連する所定の情報がカフ同定ディスプレイ１５に表示され、カフ同定モデュール３２に記録される場合があり、日時、圧力設定およびタニケット膨張時間のようなタニケット装置１２内の他の構成部分からの情報もカフ同定モデュール３２によって記録される場合がある。
【００３４】
カフ・セット１６のさまざまな異なるカフのタイプに対応する色は、赤色、緑色および青色の反射光相対強度レベルがはっきり区別できるように選択される。カフ同定モデュール３２は、構成部分の仕様の変更および製造上のばらつきを補償するために、特定のカフのタイプに対応する相対強度の保存された所定の範囲を調整するために、最初に較正される場合がある。較正は、一連の基準色で彩色されたコネクタを用いて実施される場合があり、同様に、再較正が現場でユーザまたは補修サービス要員によって実施される場合がある。
【００３５】
カフ同定モデュール３２の動作の例は以下のとおりである。赤色の同定用カラー２１を有するカフ・セット１６からの特定のタイプのカフが充填ライン・アッセンブリ１４に接続されるとき、ＬＥＤ２２によって生成される緑色および青色の光パルスは、ＬＥＤ２２によって生成される赤色光パルスよりも前記赤色の同定用カラー２１によって吸収される度合いが大きい。したがって、緑色および青色の反射光の強度と比較して、前記赤色の同定用カラー２１から反射する赤色光パルスの強度のほうがより大きい。カフ同定モデュール３２は、前記赤色のカフ・コネクタから反射し、フォトダイオード３０によって感知された光の相対強度を、保存された一揃いの所定の相対強度値と比較することによって、前記赤色の同定用カラー２１を有する特定のタイプに対応する取り付けられたカフを同定するであろう。いったん同定用カラー２１の色が同定されるか、あるいは、同定可能な色の同定用カラー２１が存在しないと決定されると、所定の信号がカフ同定モデュール３２によって電気コネクタ３５を介してタニケット装置１２に送信され、これにしたがって、タニケット装置１２は自動的に選択された機能およびパラメータ設定に適応する。
【００３６】
タニケット装置１２とともにカフ同定モデュール３２は危険な可能性のある状態を検出するようにも作動する。動作中、カフ同定モデュール３２は、赤色、緑色および青色の反射光パルスの絶対強度レベルと、ＬＥＤ２２が作動しないときの周辺光の強度レベルとを連続的に監視する。強度レベルの突然の急落は、コネクタ２０および２６の切断か、ホース３６のねじれ（ｋｉｎｋ）かの可能性を示す。ホース３６およびファイバー２４および／または２８が前記ファイバーの特定最小屈曲半径を越えるようなねじれを起こす場合には、光がもはや前記光ファイバーによって伝送できないため、フォトダイオードによって検出される光の強度レベルは低下するであろう。検出光レベルの突然な低下がカフ圧の低下および対応するタニケット装置１２からのガス圧の需要の高まりと同時に起こる場合には、コネクタ２０および２６の切断の可能性の警告が発令される場合がある。信号損失が圧力損失またはタニケット装置１２からのガス圧の需要の高まりを伴わない場合には、ホース３６のねじれの可能性の警告が発令される場合がある。
【００３７】
カフ同定モデュール３２は、複数回の使用にわたって検出光の強度レベルを記録することによって、さまざまな自動的システム最適化および自己較正機能を可能にする。例えば、時間経過または使用回数にともなう検出光レベルの緩やかな低下は、充填ライン・アッセンブリ１４の消耗および劣化を示す場合があり、補修サービス勧告メッセージが表示される場合がある。同様に、時間経過にともなって特定のタイプのカフに対応する光レベルの変化は、自己較正機能の起動または補修サービス勧告の発令をする場合がある。
【００３８】
いったん前記カフが同定されるか、同定不能なカフが接続されていることが決定されると、タニケット装置１２の動作はそれにしたがって適応される。タニケット装置１２の動作の自動的な適応の複数の例は以下のとおりである。
【００３９】
前記カフの物理的特徴がタイプおよびサイズである例として、カフ同定モデュール３２およびタニケット装置１２はカフ・セット１６のカフのサイズおよびタイプにそれぞれ対応する同定用カラー２１の色の所定の１組を同定し、適応するようにプログラムされる場合がある。この実施例では、賦形型大腿用カフ５１（図１）は、青色の同定用カラー２１を備え、カフ同定モデュール３２によって青色が同定されると、タニケット装置１２はデフォルトの圧力設定を２５０ｍｍＨｇに適応させるが、これは、この特定のカフが用いられるときにたいていの患者にとって適切であることがわかっている。ユーザに知らせるために、カフ同定ディスプレイ１５は、「賦形型大腿用カフ」および「デフォルト圧２５０ｍｍＨｇ」のメッセージを表示するように適応される。同様に、賦形型腓用カフ５０は、黄色の同定用カラー２１を備え、このカフが接続され、同定されるとき、タニケット装置１２は、賦形型腓用カフ５０にとってより適切な圧力設定である２００ｍｍＨｇに自動的にデフォルト圧設定を適応させ、ディスプレイ１５は「腓用カフ」および「デフォルト圧２００ｍｍＨｇ」のメッセージを表示するように適応される。さらに、（ＭｃＥｗｅｎによって米国特許第４，４６９，０９９号明細書に説明されるアラーム遅延時間および圧力調節限度のような）タニケット装置１２の動作に影響を与える選択されたパラメータ設定は、賦形型大腿用カフ５１に比べて小さな膨張体積の賦形型腓用カフ５０により適するように自動的に適応させられる場合がある。あるカフが、所定の色の１つを有する同定用カラー２１を備えない（したがって、カフ・セット１６に属さない）場合には、タニケット装置１２はデフォルト圧設定をゼロに適応させ、「カフ・タイプ不明」のメッセージをディスプレイ１５に表示して、ユーザがタニケット圧を手作業で設定しなければならない。
【００４０】
前記カフの物理的特徴がカフの製造者である実施例として、該カフの製造者によって作られたすべてのカフが赤色の同定用カラー２１を備え、カフ・セット１６を形成する場合がある。カフ・セット１６のいずれかのカフの接続の際、タニケット装置１２は、ディスプレイ１５に「承認済みカフ」のメッセージを示すように適応させ、製造者のカフの物理的特徴に適するように（ＭｃＥｗｅｎによって米国特許第５，８６１，３３９号明細書に説明されたチュービング閉塞信号のような）所定のパラメータ設定に適応させる。接続されたカフが赤色の同定用カラー２１を備えていない場合には、タニケット装置１２はディスプレイ１５に「未承認タイプのカフ」および「ライン閉塞アラーム使用停止」のメッセージを表示させるように適応させる。さらに、タニケット装置１２は、同定不能なカフが接続されるときには、作動しないか、ユーザの介入後にのみ作動するか、限られた回数の手術について作動するようにプログラムされる場合がある。タニケット装置１２は、未承認カフの使用回数を記録するようにプログラムされる場合もある。
【００４１】
前記カフの物理的特徴が該カフが２回以上の再滅菌処理を施されたかどうかである実施例として、カフ・セット１６のカフは、同定用面１２６（図４および４ａを参照せよ。）上に処理指示インクのコーティングを有する同定用カラー２１を備える場合がある。再滅菌処理に曝露されたことを表す同定用面１２６の色を同定すると、タニケット装置１２は、ディスプレイ１５に「使用済みカフ」および「カフは無菌でないかもしれない」とのメッセージを表示させるように適応する。さらに、タニケット装置１２は、再処理されたカフが接続されるときには、作動しないか、ユーザの介入後にのみ作動するか、限られた回数の手術について作動するようにプログラムされる場合がある。タニケット装置１２は、再処理されたカフのが使用回数を記録するようにプログラムされる場合もある。
【００４２】
複数の同定用面のそれぞれが送りファイバー／戻りファイバーの対を有するような複数の同定用面を用いることによって、異なる物理的特徴の組み合わせが同定される場合があることは理解されるであろう。例えば、カフのタイプおよび酸化エチレン滅菌への曝露の両方を検出しなければならない場合には、（親出願に説明されるとおり）タイプがコネクタ２０の色によって同定され、酸化エチレン滅菌への曝露は上記のとおり同定用カラー２１によって同定さる場合がある。複数の同定用面が用いられる場合には、検出される色が比較され、さまざまな自動的システム最適化および自己較正機能を実施可能にする場合がある。例えば、同定用カラー２１はカフは酸化エチレン滅菌に曝露されていないことを示すカフ・セット１６のすべてのカフについて共通の色であり、カフ・コネクタ２０はカフのタイプに対応する所定の色である場合には、同定用カラー２１からの反射光の相対強度レベルも、特定のカフのタイプに対応する所定の保存相対強度範囲を調整するための基準として利用される場合がある。
【００４３】
本発明は本明細書に示される詳細に限定されるべきでなく、添付する請求の範囲の中で改変される場合があることが理解されるべきである。
【図面の簡単な説明】
【００４４】
【図１】カフ同定手段と、１組のカフとを有するタニケットシステムを示す模式図。
【図２】充填ライン・アッセンブリとタニケット装置との間の接続配置を示す縦断面図。
【図３】コネクタが切断された状態でのカフと充填ライン・アッセンブリとの間の接続配置を示す側面模式図。
【図３ａ】コネクタが係合した状態でのカフと充填ライン・アッセンブリとの間の接続配置を示す縦断面図。
【図４】同定用カラーの正面図。
【図４ａ】同定用カラーの断面図。
【符号の説明】
【００４５】
１２    タニケット装置
１４    充填ライン・アッセンブリ
１５    カフ同定ディスプレイ
１６    カフ・セット
１８    加圧ガス源およびガス圧調節手段
１９    ソケット・アッセンブリ
２０    カフ・コネクタ
２１    同定用カラー
２２    発光ダイオード
２３    錠止タブ
２４    送りファイバー
２５    スロット
２６    充填ライン・コネクタ
２７    矢印
２８    戻りファイバー
３０    フォトダイオード
３２    カフ同定モデュール
３３    気密コネクタ
３４    回路基板
３５    電気コネクタ
３６、７４    ホース
４０、４２、１３０、１３２、１３６、１３８    孔
５０    賦形型腓用カフ
５１    賦形型大腿用カフ
７６    ポートマニホールド
１１０    フランジ表面
１１２    錠止ピン
１１４    ギャップ
１１６    充填コネクタ表面
１１８    フランジ裏面
１２０    円盤部
１２２    フランジ部
１２４    中央の孔
１２６    同定用面
１２８    オーバーラップ
１４０    角度
【図１】
2006516426.tif 000003
【図２】
2006516426.tif 000004
【図３】
2006516426.tif 000005
2006516426.tif 000006
【図４】
2006516426.tif 000007
【国際調査報告】
2006516426.tif 000008
2006516426.tif 000009
2006516426.tif 000010